(57)【要約】【課題】イヤホーンコードクリップを定められたイヤホーンコードの長さのところに取り付け、使うときに衣服などを挟持するだけで使用できるイヤホーンコードクリップ【解決手段】ワニ口クリップの片方の挟持部材の外表面部に、矩形板状レバーを設けレバーの短手方向と同じ幅の帯状ゴムの一端をレバーの外表面に取り付け、帯状ゴムの他端部を挟着部の先端部に取り付け、帯状ゴムの弾力によりイヤホーンコードを挟持部材の外表面に押し付ける。帯状ゴムを使ってイヤホーンコードクリップをコードの上に固定させることにより、コードの損傷の心配もなく、使い慣れたイヤホーンコードの長さのところに常に付けて置くことができ、さらにイヤホーンコードクリップを衣服などの頭部の近傍に挟持することで、落下などを防ぐことができ、またイヤホーンを挟着して収納すると絡みを防ぐことができる。【選択図】図５
0003134237.tif 000002
【実用新案登録請求の範囲】
【請求項１】
ワニ口クリップの対向二枚挟持部材の片方を本体として軸支持体を内面とし、挟持部材の外面に長手方向の中央から開閉操作部の後端部まで矩形板状凹部を挟持部材の短手方向中央部を設け、さらに矩形板状凹部は挟持部材本体の長手方向中央の端部側に板状レバーの軸用のこしきを設けたイヤホーンコードクリップ
【請求項２】
矩形板状レバーは本体の矩形板状凹部と嵌合できる形にし  矩形板状レバーの長手方向の一端は軸の形で、また長手方向の他端の端部を矩形板と直角に形成された係止部を設け、さらに矩形板の係止部との反対面に矩形板状レバーの長手方向の中央から若干軸の方のところにレバーの短手方向の溝を設けた請求項１に記載のイヤホーンコードクリップ
【請求項３】
矩形板状レバーの軸を本体の矩形板状凹部のこしきに装着し、レバーを凹部と嵌合してレバーの係止部を本体開閉操作部の後端部と係止の状態で矩形板状レバーの短手方向と同じ幅の帯状ゴムの一端を矩形板状レバーの外面の短手方向の溝中を取り付け、帯状ゴムの他端部は帯状ゴムを若干伸ばした状態から挟持部材の挟着部先端部に取り付けた請求項１または２に記載のイヤホーンコードクリップ
【請求項４】
矩形板状レバーの軸を本体に付けてレバーを開き、イヤホーンコードを帯状ゴムと本体の外表面部の間に貫通した状態でレバーを閉じ、帯状ゴムの弾力でイヤホーンコードを本体の外表面部に押し付けクリップ本体をコードの上に付けることができる請求項１〜３のいずれか１項に記載のイヤホーンコードクリップ  
【考案の詳細な説明】
【技術分野】
【０００１】
本考案は、イヤホーンコードクリップに関する
【背景技術】
【０００２】
ウォーキングなどの運動するときにイヤホーンを使うと、イヤホーンコードの重さやコードの揺れなどによりイヤホーンが耳元から脱落してしまい使用するときの不便があるが、先行技術中にワニ口クリップを使ってコードを制約するまたは服にホルダーなど装着するものもある。
【０００３】
しかしながらこのようなワニ口クリップを使用するとき、毎回コードの長さの調整をしてからしか使えず、また部材も分離していて、収納性も低い。服にホルダーを装着してもコードの揺れが制限できるが、コードの重さによるイヤホーンの脱落の予防の効果がない。
【特許文献１】特開２００４−２１４９９６
【特許文献２】実登３０８１５３０
【考案の開示】
【考案が解決しようとする課題】
【０００４】
イヤホーンコードクリップは定められたイヤホーンコードの長さのところに取り付けることができ、使うときに衣服などを挟持するだけ使用できるイヤホーンコードクリップ
【課題を解決するための手段】
【０００５】
ワニ口クリップの片方の挟持部材の外表面部は、長手方向中央部から開閉操作部の後端部まで矩形板状レバーを設け、レバーの中央部から若干挟着部の方の外表面部にレバーの短手方向と同じ幅の帯状ゴムの一端を取り付け、帯状ゴムの他端部を挟着部先端部に取り付け、レバーは開くときイヤホーンのコードを帯状ゴムと挟持部材の外表面部との間に通し、レバーを矩形板状凹部に閉め、帯状ゴムの弾力によりイヤホーンコードを挟持部材の外表面に押し付けワニ口クリップをイヤホーンコードの上に取り付けることができる。
【考案の効果】
【０００６】
イヤホーンコードクリップは弾性材の帯状ゴムを使って固定させ、コードの損傷の心配もなく使い慣れたイヤホーンコードの長さのところに常に付けて置くことができ、イヤホーンコードクリップを衣服など挟持できるところに頭部の近傍に挟持し、イヤホーンコードのある程度の緩みを耳元の回りに保つことが出来、ウォーキングなどの運動するとき長いイヤホーンコードの重さと激しい揺れによるイヤホーンの脱落などを防ぐことができ、イヤホーンの正常使用することができる。イヤホーンがイヤホーンコードクリップを使って挟着しで収納すると絡まることもなく、使うときはすぐに付けて使用することができる。
【考案を実施するための最良の形態】
【０００７】
図に参照しつつ説明する。図１はワニ口クリップの片方の挟持部材Ａを本体の挟持部材本体Ａの縦方向視短手方向の断面図と、挟持部材本体Ａ横方向視長手方向断面図と挟持部材本体Ａ上面図（外表面）である。
【０００８】
図２は矩形板状レバーＢの上面（外表面）正面図と、横視長手方向断面図と矩形板状レバーＢの下面（裏面）正面図である。図１の挟持部材本体Ａを図２の矩形板状レバーＢと組み合わせた図３のように、ワニ口クリップの片方の挟持部材本体になる。
【０００９】
矩形板状凹部Ａ−ｂの挟持部材本体Ａの中央側端部の二つの角は横方向視の文字のＣの形のこしきＡ−ａを設け（図１参照）、矩形板状凹部Ａ−ｂと嵌合できる矩形板状レバーＢの一端の軸Ｂ−ａと前記こしきＡ−ａと組み立て、レバーＢと矩形板状凹部Ａ−ｂと嵌合し  レバーＢの他端の裏面の係止部Ｂ−ｃは（図２参照）、前記凹部Ａ−ｂの底面部とレバーＢの裏面と合わさるとき、レバーＢの係止部Ｂ−ｃと挟持部材Ａの開閉操作部後端の端部に係止する。矩形板状レバーＢの外表面部は挟持部材Ａの外表面部と一致させ、挟持部材Ａの外表面部を平らにしたもので、レバーＢの外表面を開閉操作部の外表面部の一部となる。
【００１０】
矩形板状レバーＢの外表面部は、レバーＢの軸Ｂ−ａからレバーＢの長手方向の長さの約三分の一のところに、レバーＢの短手方向に溝Ｂ−ｂを設け、矩形板状レバーＢと同じ幅の帯状ゴムＣの一端を前記溝Ｂ−ｂ中に接着させ、レバーＢは挟持部材Ａの凹部Ａ−ｂと嵌合させて閉め、前記帯状ゴムＣを若干伸ばした状態で挟持部材Ａの挟着部の先端の端部と接着させる。帯状ゴムＣの裏面と挟持部材Ａの外表面部とは接した状態になる。
【００１１】
図４はワニ口クリップの矩形板状レバーＢを開放した状態の全体横視長手方向正面図である。図のようにレバーＢを開放したとき帯状ゴムＣは挟持部材Ａの外表面部から離れ、図のように緩い状態になる。レバーＢを挟持部材Ａの凹部Ａ−ｂに嵌合して閉じると帯状ゴムＣと挟持部材Ａの外表面部を緊密に併せることができる。
【００１２】
図５はワニ口クリップの全体斜視図とワニ口クリップをイヤホーンコードの上に付けた状態でイヤホーンを挟み収納したときの斜視図である。前記矩形板状レバーＢを開放したとき、帯状ゴムＣと挟持部材Ａの外表面部の間にイヤホーンコードを通してコードの使いやすい長さのところで矩形板状レバーＢを閉じ、コードを帯状ゴムＣの弾力で挟持部材Ａの外表面部と挟む状態で止める。帯状ゴムＣの弾力の調整をすることが好ましい。
【００１３】
滑り止めＡ−ｄは若干の柔軟性を有するゴムが使うことにより、衣服などに装着するときの損傷が与えない。
【図面の簡単な説明】
【００１４】
【図１】挟持部材本体の断面図と上面図
【図２】矩形板状レバーの上面図と断面図と下面図
【図３】挟持部材本体と矩形板状レバーの組み合わせた図
【図４】ワニ口クリップのレバー開放状態正面図
【図５】全体斜視図
【符号の説明】
【００１５】
Ａ    挟持部材本体
Ａ−ａ  こしき
Ａ−ｂ  矩形板状凹部
Ａ−ｃ  支持体軸
Ａ−ｄ  滑り止め
Ｂ      矩形板状レバー
Ｂ−ａ  レバーの軸
Ｂ−ｂ  レバーの表面部溝
Ｂ−ｃ  レバーの係止部
Ｃ      帯状ゴム
【図１】
0003134237.tif 000003
【図２】
0003134237.tif 000004
【図３】
0003134237.tif 000005
【図４】
0003134237.tif 000006
【図５】
0003134237.tif 000007